(57)【要約】【課題】内燃機関停止動作時、ターボ過給機において異音が発生するのを防止する。【解決手段】内燃機関１０のオイルパン１０Ｃからの潤滑油を、内燃機関１０に連動される第１オイルポンプ１１を用いてターボ過給機１４に供給する第１潤滑油供給経路を設ける。更に、オイルパン１０Ｃからの潤滑油を電動オイルポンプである第２オイルポンプ２３を用いてターボ過給機１４に供給する第２潤滑油供給経路を設ける。内燃機関１０が停止した後、第２オイルポンプ２３を駆動して、ターボ回転数が所定値よりも低くなるまで潤滑油をターボ過給機に供給する。【選択図】図１
2008223626.tif 000002
【特許請求の範囲】
【請求項１】
内燃機関に設けられたターボ過給機に潤滑液を供給する潤滑液供給手段を備え、前記潤滑液供給手段が、前記内燃機関の停止動作時に前記ターボ過給機における異音の発生を抑制するために、所定のターボ回転数よりも低いターボ回転数となるまで、前記ターボ過給機への前記潤滑液の供給を継続し、前記ターボ過給機の軸受け部に前記潤滑液の液膜によるダンパを形成する
ことを特徴とするターボ過給機への潤滑液供給システム。
【請求項２】
前記潤滑液供給手段が、前記内燃機関停止時においても駆動可能であることを特徴とする請求項１に記載の潤滑液供給システム。
【請求項３】
前記潤滑液供給手段が、前記内燃機関の駆動力により駆動される第１潤滑液供給手段と、前記内燃機関とは独立して駆動される第２潤滑液供給手段とを備えることを特徴とする請求項１に記載の潤滑液供給システム。
【請求項４】
前記第２潤滑液供給手段が、前記ターボ回転数が前記所定のターボ回転数よりも低く、かつ前記潤滑液の圧力が前記液膜によるダンパを維持するのに必要な所定値以下になったときに駆動される
ことを特徴とする請求項３に記載の潤滑液供給システム。
【請求項５】
前記第１潤滑液供給手段が、前記内燃機関に連動される第１ポンプとチェックバルブとを備えるとともに、前記第２潤滑液供給手段が第２ポンプを備え、前記第２ポンプが前記第１ポンプおよび前記チェックバルブと並列に設けられることを特徴とする請求項３に記載の潤滑液供給システム。
【請求項６】
前記潤滑液供給手段が前記内燃機関のクランクシャフトに連動して駆動され、前記ターボ回転数が前記所定のターボ回転数よりも低くなるまで、前記内燃機関のエンジン回転数が落とされることを特徴とする請求項１に記載の潤滑液供給システム。
【請求項７】
前記潤滑液供給手段が前記内燃機関のクランクシャフトに連動して駆動され、前記内燃機関停止後、前記クランクシャフトが、前記ターボ回転数が前記所定のターボ回転数よりも低くなるまで電動機により駆動されることを特徴とする請求項１に記載の潤滑液供給システム。
【請求項８】
前記ターボ回転数を検出する回転数検出手段を備え、前記潤滑液供給手段が前記回転数検出手段により検出されるターボ回転数に基づいて制御されることを特徴とする請求項１に記載の潤滑液供給システム。
【請求項９】
前記内燃機関停止後または前記内燃機関停止指示後において前記ターボ回転数が前記所定のターボ回転数に達するまでの時間を求め、前記時間に基づいて前記潤滑液供給手段の駆動が制御されることを特徴とする請求項１に記載の潤滑液供給システム。
【請求項１０】
前記所定のターボ回転数は異音が発生する限界回転数であることを特徴とする請求項１に記載の潤滑液供給システム。
【発明の詳細な説明】
【技術分野】
【０００１】
本発明は、ターボ過給機に潤滑液の供給を行なうための潤滑液供給システムに関する。
【背景技術】
【０００２】
ターボ過給機への潤滑油（潤滑液）の供給は、一般には内燃機関のクランクシャフトに連動されたオイルポンプによって行われる。そのためターボ過給機には、内燃機関が始動されてから停止されるまでの間のみ潤滑油の供給が行われる。このような構成に対し、ターボアシスト用の電動機を備えたターボ過給機において、内燃機関始動時（特に冷間始動時）に電動機により高速回転されるターボ過給機の軸受けに、内燃機関の始動に先立って潤滑油を供給し、ターボ回転軸の焼き付きを防止するものが提案されている（特許文献１参照）。
【０００３】
また、電動機付きターボ過給機において、内燃機関停止後の排気ガスの熱によるターボ回転軸の焼き付き防止のために、内燃機関停止後も所定温度以下となるまで電動機によりターボ回転軸を回転させ、軸受け上方に設けられたオイル溜まりから潤滑油を自然落下により軸受けに供給し、自己潤滑するものが知られている（特許文献２参照）。
【特許文献１】特開２００３−２３９７５６号公報
【特許文献２】特開昭６４−４５９２２号公報
【発明の開示】
【発明が解決しようとする課題】
【０００４】
上記特許文献１、２の装置は、内燃機関始動時、あるいは内燃機関停止時におけるターボ回転軸／軸受けの焼き付きの防止を目的としたものである。しかし、内燃機関停止によりターボ過給機への潤滑油の供給が停止されると、この他にも騒音の問題が発生する。すなわち、内燃機関停止後においてもターボ回転軸は、その慣性モーメントにより一定時間惰性で回転を続ける。内燃機関停止によりオイルポンプからの潤滑油の供給が停止されると、軸受けホルダと軸受けハウジングとの間など、過給機の構成要素で相対的に回転数の差が認められ当接される他の部位相互間に油膜ダンパを用いた構成では、軸受けホルダと軸受けハウジングとの間に接触が生じ、惰性による回転が所定の回転数に達すると異音が発生する。特に、電動機付きターボ過給機のように、ターボ回転軸に一体化された組立体（ターボ回転軸、タービン、コンプレッサ、電動機回転子など）の質量および慣性モーメントが大きい場合、この問題は顕著である。
【０００５】
本発明は、内燃機関停止動作時、ターボ過給機において異音が発生するのを防止することを目的としている。
【課題を解決するための手段】
【０００６】
本発明のターボ過給機への潤滑液供給システムは、内燃機関に設けられたターボ過給機に潤滑液を供給する潤滑液供給手段を備え、潤滑液供給手段が、内燃機関の停止動作時にターボ過給機における異音の発生を抑制するために、所定のターボ回転数よりも低いターボ回転数となるまで、ターボ過給機への潤滑液の供給を継続し、ターボ過給機の軸受け部に潤滑液の液膜によるダンパを形成することを特徴としている。
【０００７】
潤滑液供給手段は、内燃機関停止時においても駆動可能であることが好ましい。例えば、潤滑液供給手段は、内燃機関の駆動力により駆動される第１潤滑液供給手段と、内燃機関とは独立して駆動される第２潤滑液供給手段とを備える。
【０００８】
また、第２潤滑液供給手段は、ターボ回転数が所定のターボ回転数よりも低く、かつ潤滑液の圧力が液膜によるダンパを維持するのに必要な所定値以下になったときに駆動されることが好ましい。例えば、第１潤滑液供給手段が、内燃機関に連動される第１ポンプとチェックバルブとを備えるとともに、第２潤滑液供給手段が第２ポンプを備え、第２ポンプが第１ポンプおよびチェックバルブと並列に設けられる。
【０００９】
潤滑液供給手段は、例えば内燃機関のクランクシャフトに連動して駆動され、ターボ回転数が所定のターボ回転数よりも低くなるまで、内燃機関のエンジン回転数が落とされる。また例えば、潤滑液供給手段が前記内燃機関のクランクシャフトに連動して駆動され、内燃機関停止後、クランクシャフトが、ターボ回転数が所定のターボ回転数よりも低くなるまで電動機により駆動される。
【００１０】
また潤滑液供給システムはターボ回転数を検出する回転数検出手段を備え、潤滑液供給手段が回転数検出手段により検出されるターボ回転数に基づいて制御される。またあるいは、内燃機関停止後または内燃機関停止指示後においてターボ回転数が所定のターボ回転数に達するまでの時間を求め、この時間に基づいて潤滑液供給手段の駆動が制御される。また例えば、所定のターボ回転数は、異音が発生する限界回転数とされる。
【発明の効果】
【００１１】
以上のように、本発明によれば、内燃機関停止動作時、ターボ過給機において異音が発生するのを防止できる。
【発明を実施するための最良の形態】
【００１２】
以下、本発明の実施の形態を、図面を参照して説明する。
図１は、本発明の第１実施形態であるターボ過給機への潤滑油（油以外の潤滑液であってもよい）の供給を行なう潤滑油（潤滑液）供給システムの模式的な構成を示すブロック図である。
【００１３】
内燃機関１０は、吸気マニホルド１０Ａ、排気マニホルド１０Ｂ、オイルパン１０Ｃを備えるとともに、内燃機関１０のクランクシャフト（図示せず）に連動される第１オイルポンプ１１と第１オイルフィルタ１２を備える。本実施形態において、吸気マニホルド１０Ａには、インタークーラ１３を介して電動機付きターボ過給機１４のコンプレッサ１４Ａが接続され、エアクリーナ１５を通して吸入された外気がコンプレッサ１４Ａにより加圧され供給される。
【００１４】
ターボ過給機１４のターボ回転軸１４０には、従来周知のようにタービン１４Ｂとターボの回転をアシストするための電動機（モータ）１４Ｃが設けられる。タービン１４Ｂには排気マニホルド１０Ｂから排気ガスが供給され、排気ガスはタービン１４Ｂを回転させたのち触媒１６を介して外部へと排出される。また、電動機１４Ｃはインバータ／コントローラ１７により駆動制御されるとともに、その回転数が検知され電子制御ユニット（ＥＣＵ）１９へ入力される。なお、電動機１４Ｃにはバッテリ１８からインバータ／コントローラ１７を介して電力が供給され、インバータ／コントローラ１７は電子制御ユニット（ＥＣＵ）１９によって制御される。
【００１５】
第１実施形態において、オイルパン１０Ｃからの潤滑油は、第１および第２潤滑油供給経路を介してターボ過給機１４のターボ回転軸１４０の軸受け部に供給される。第１潤滑油供給経路は、内燃機関１０を動力源とする第１オイルポンプ１１を用いたもので、内燃機関１０が運転中、潤滑油はこの供給経路を用いてターボ過給機１４に供給される。
【００１６】
第１潤滑油供給経路において、オイルパン１０Ｃは第１オイルポンプ１１に接続され、第１オイルポンプ１１から吐出された潤滑油は、第１オイルフィルタ１２、チェックバルブ２０、第２オイルフィルタ２１を介してターボ過給機１４に供給される。なお、第２オイルフィルタ２１の手前（上流側）、チェックバルブ２０の下流側の配管には、例えば油圧センサ２２が設けられ、ターボ入口における油圧が検出され、電子制御ユニット（ＥＣＵ）１９に入力される。なお、第１オイルポンプ１１から吐出され第１オイルフィルタ１２を介した潤滑油の一部は、上述のようにチェックバルブ２０を通してターボ過給機１４にも供給されるが、潤滑油の主なものは再度内燃機関１０の各部へと供給され循環される。
【００１７】
一方、第２潤滑油供給経路は、イグニッションＩＧがＯＮ状態からＯＦＦ状態とされて内燃機関１０が停止され、第１オイルポンプ１１の駆動が停止された際に用いられる潤滑油の供給経路であり、その動力源には、内燃機関１０の駆動とは独立した第２オイルポンプ２３が用いられる。第２オイルポンプ２３は、例えば電動機を用いた電動オイルポンプであり、電力はバッテリ１８から供給され、その制御は電子制御ユニット（ＥＣＵ）１９によって行われる。すなわち第２オイルポンプ２３はイグニッションＩＧがオフされた状態において駆動される。
【００１８】
第２潤滑油供給経路において、オイルパン１０Ｃは第２オイルポンプ２３に接続される。第２オイルポンプ２３から吐出された潤滑油は、その後第１潤滑油供給経路と同様に、圧力センサ２２が設けられた配管を通過した後、第２オイルフィルタ２１を介してターボ過給機１４に供給される。すなわち、第２オイルポンプ２３は、第１オイルポンプ１１、第１オイルフィルタ１２、チェックバルブ２０と並列に接続される。
【００１９】
ここで、チェックバルブ２０は、内燃機関１０の運転が停止されることにより第１オイルポンプ１１が停止され、更に第２オイルポンプ２３が駆動された際、チェックバルブ２０が設けられた経路を介して、潤滑油が第２オイルポンプ２３の吐出圧により内燃機関１０側に逆流するのを防止するものである。また第２オイルフィルタ２１は、主に第２潤滑油供給経路を介した潤滑油を濾過するものであるが、本実施形態では第１潤滑油供給経路を介した潤滑油の濾過も行われる。なお、第１オイルフィルタ１２は、内燃機関１０の各部へと潤滑油が戻される側の配管（チェックバルブ２０側の配管から分岐した配管）に配置されてもよい。この場合、第２オイルポンプ２３は、第１オイルポンプ１１およびチェックバルブ２０とのみ並列に接続される。
【００２０】
次に図２、図３を参照して、潤滑油が供給されるターボ過給機１４における軸受け部の周辺の構成について説明し、本実施形態における油膜（液膜）ダンパの役割につてい説明する。図２は、本実施形態の電動機付きターボ過給機１４のターボ回転軸１４０に沿った断面図であり、図３は、図２の断面図における軸受け部の拡大図である。
【００２１】
電動機付きターボ過給機１４のターボ回転軸１４０は、その一端にタービンブレード１４３が一体的に設けられ、他端にはコンプレッサ１４Ａのインペラ１４４が装着される。またタービン回転軸１４０には、電動機１４Ｃのモータ回転子１４５が取り付けられ、その周囲にはコイル１４６が巻かれたステータ１４７が配置される。
【００２２】
ターボ回転軸１４０には、一対の軸受け（ボールベアリング）１４１、１４２が装着される。軸受け１４１、１４２は、円筒状の軸受けホルダ１４８内に組み付けられ、ボールベアリング１４１、１４２はターボ回転軸１４０に装着されたスペーサ１４９によりその内輪が軸方向に所定距離離れて固定される。また、ボールベアリング１４１、１４２の外輪は、それぞれ一対のリング１５０、１５１に当接し、リング１５０、１５１の間に介挿されるコイルスプリング１５２によりその位置が保持される。
【００２３】
軸受けホルダ１４８は、軸受けホルダ１４８よりも一回り大きい円筒状の軸受けハウジング１５３内に装置される。これにより軸受けホルダ１４８と軸受けハウジング１５３の間には、円筒状の僅かな隙間１５４が形成され、ここに潤滑油が所定の圧力以上で供給されると、油膜が形成され軸受けホルダ１４８と軸受けハウジング１５３の間において油膜ダンピングとして機能する。なお軸受けハウジング１５３はタービン過給機１４の本体と一体的であり、軸受けハウジング１５３内の構成を本実施形態では軸受け部と呼ぶ。
【００２４】
また、軸受けホルダ１４８には、円筒軸方向に垂直な穴１４８Ａが形成されており、軸受けハウジング１５３に装着されたピン１５５の先端が嵌入され、軸受けホルダ１４８の円筒軸周りの回転が規制される。なお、ピン１５５の先端と穴１４８Ａとの間には適度な隙間が形成され、軸受けホルダ１４８は、ピン１５５の軸方向にそって移動可能である。すなわち、油圧が低いときには、ターボ回転軸１４０および軸受けホルダ１４８を含む組立体は、重力により一方へ偏り、軸受けハウジング１５３の内周面と接触する。一方、油圧が一定値を越え隙間１５４に油膜が形成されると、軸受けホルダ１４８は、ピン１５５に沿って移動し、軸受けホルダ１４８の外周面は軸受けハウジング１５３の内周面と一定の距離隔てて同軸的に保持される。
【００２５】
ピン１５５の中心には軸に沿ってオイル供給通路１５５Ａが形成され、オイル供給通路１５５Ａ内には、第２オイルフィルタ２１（図１参照）が装着される。オイル供給通路１５５Ａは、ピン１５５の先端近くでＴ字形に横方向に分岐し、軸受けホルダ１４８の外周面に周方向に沿って設けられた溝１４８Ｂにオイル供給通路１５５Ａを介した潤滑油を供給する。溝１４８Ｂに供給された潤滑油は、その後隙間１５４に供給され軸受けホルダ１４８と軸受けハウジング１５３との間で油膜ダンパを形成する。なお、ボールベアリング１４１、１４２には、リング１５０、１５１にそれぞれ設けられたジェット給油穴１５０Ａ、１５１Ａを通して潤滑油が供給され冷却される。
【００２６】
次に図４のフローチャートを参照して、第１実施形態における潤滑油供給システムの制御手順について説明する。なお、図４に示される制御処理は、各センサからの信号に基づいて電子制御ユニット（ＥＣＵ）１９が、第２オイルポンプである電動オイルポンプ２３を駆動制御することにより実行される。
【００２７】
ステップＳ１１０において、イグニッションＩＧがオフ状態（内燃機関１０停止状態；第１オイルポンプ１１停止状態）とされたことを電子制御ユニット（ＥＣＵ）１９が検知すると、ステップＳ１１２においてインバータ／コントローラ１７からターボ回転数Ｎｔが読み込まれ、検出されたターボ回転数Ｎｔが所定値よりも大きいか否かが判定される。ここで所定値は、潤滑が不十分で油膜ダンパが機能しないときに、ターボ過給機１４の軸受け部が異音を発生する回転数、あるいはそれ以下の回転数である。なお、例えば所定値＝０、すなわち回転が完全に止まった状態を判定条件とすることも可能である。
【００２８】
また例えば、潤滑油（潤滑液）の供給を停止したときに、車内環境での異音レベルが所定値以下となる最大のターボ回転数を限界回転数として予めもとめ、この限界回転数を所定値として、上記ステップＳ１１２における判定を行ってもよい。
【００２９】
ターボ回転数Ｎｔが所定値よりも大きいと判定されたときには、すなわち、未だ十分にターボ回転数Ｎｔが下がっていないときには、ステップＳ１１４において油圧センサ２２において検出されたターボ入口油圧が所定値以下であるか否かが判定される。ここで所定値は、油膜ダンパが形成されるのに最低限必要な油圧値である。ステップＳ１１４において、検出された油圧が所定値以下でないと判定された場合、ターボ回転数Ｎｔは未だ十分に下がっていないが、まだ油圧（残圧）は油膜ダンパを維持するのに十分あるので、ステップＳ１１２に戻り同様の判定を繰り返す。
【００３０】
一方、ステップＳ１１４において、検出された油圧が所定値以下であると判定された場合、残圧は油膜ダンパを維持するのに既に十分でないので、その後、回転数が低下し所定回転数に達すると異音が発生する。したがって、ステップＳ１１６において、第２オイルポンプである電動オイルポンプ２３が駆動され、ターボ過給機１４への潤滑油の供給が開始され、ステップＳ１１２以下の判定が繰り返される。
【００３１】
また、ステップＳ１１２において、ターボ回転数Ｎｔが所定値以下である（Ｎｔよりも大きくない）と判定された場合には、ターボ回転数Ｎｔは既に異音を発生することのない回転数まで下がっているので、油膜ダンパを維持する必要がなくステップＳ１１８において第２オイルポンプである電動オイルポンプ２３の駆動が停止され、この潤滑油供給システムの制御処理は終了する。
【００３２】
以上のように、第１実施形態によれば、内燃機関の停止動作において機関停止後も、ターボ回転数が異音が発生する所定の回転数よりも低い回転数（ターボ回転数が０のときも含む）となるまで、内燃機関とは独立した第２オイルポンプを駆動して油膜ダンパを維持することができる。これにより、ターボ過給機の軸受け部における異音の発生を防止できる。また、第１実施形態では、油圧をモニタすることにより、残圧が油膜ダンパ維持に十分なときには第２オイルポンプを駆動させないことにより、より効率的に潤滑維持のための制御を行なうことができる。
【００３３】
なお、本実施形態では、例えば、ターボ過給機に設けられた電動機の回生エネルギーを第２オイルポンプの駆動に用いることにより、潤滑油供給システムの駆動を更に効率化することができる。回生エネルギーは一旦バッテリに蓄積されてもよいし、直接第２オイルポンプに用いられてもよい。また、このとき電動機の回生によりターボ回転数の低下を早めることができる。
【００３４】
また、本実施形態では、第２オイルフィルタを用いているため、第２オイルフィルタを第１オイルフィルタよりも目の細かいものにすることにより、軸受けにボールベアリングなどを用いるときにも異物の除去を十分に行なうことができる。また、内燃機関停止後も潤滑油がターボ過給機に供給されることから、デッドソーク時にターボ軸受けを潤滑油で冷却することができるためタービンからの熱による温度上昇を抑えることができ、軸受けの信頼性が向上する。
【００３５】
次に図５を参照して本発明の第２実施形態のターボ過給機の潤滑油（潤滑液）供給システムについて説明する。図５は、第２実施形態におけるターボ過給機の潤滑油供給システムの構成を示すブロック図である。第２実施形態では、第１実施形態の構成から、第２潤滑油供給経路が取り除かれている。すなわち第１実施形態においては、第１オイルポンプ１１、第１オイルフィルタ１２、およびチェックバルブ２０と並列に第２オイルポンプ２３およびその配管が設けられていたが、第２実施形態ではこれらが取り除かれる。また、このことから、チェックバルブ２０、第２オイルフィルタ２１、および圧力センサ２２も取り除かれる。なお、その他の構成については第１実施形態と同様であるため、それらの構成については第１実施形態の説明と同一の参照符号を用いるとともにその説明を割愛する。
【００３６】
第２実施形態では、第２オイルポンプ２３が存在しないことから、内燃機関の停止動作において、内燃機関１０のアイドル回転数を制御することによりターボ過給機１４のターボ回転数を上記所定値よりも低い値にまで下げ、内燃機関１０の運転を停止する。すなわち、電子制御ユニット（ＥＣＵ）１９が、イグニッションＩＧがオフされたことを検出すると（ここでは例えばキー操作によるイグニッションオフあるいは内燃機関停止指示）、電子制御ユニット（ＥＣＵ）１９は直ちに内燃機関１０の運転を停止せず、アイドル回転を行ないエンジン回転数を落としターボ回転数を下げる。アイドル回転数が十分に下げられ、インバータ／コントローラ１７において検出されるターボ回転数が、ターボ過給機１４において異音が発生しない所定値よりも低下すると、電子制御ユニット（ＥＣＵ）１９は、内燃機関１０の実際のイグニッションをオフし内燃機関１０の運転を停止する。すなわち、第１オイルポンプ１１は、ターボ回転数が上記所定値よりも低くなるまで潤滑油をターボ過給機１４に供給し続けることが可能なため、その間油膜ダンパを維持することができ、異音の発生を防止できる。
【００３７】
以上のように、第２実施形態においても、内燃機関停止動作時にターボ過給機において異音が発生することを防止できる。また、第２実施形態では、別途第２オイルポンプを設ける必要がないので、従来のシステムにそのまま適用することが可能である。
【００３８】
図６は、第３実施形態のターボ過給機の潤滑油（潤滑液）供給システムの構成を示すブロック図である。第３実施形態は、第２実施形態と略同様の構成をとるが、第２実施形態の構成に加え、車両の駆動にモータアシストを行なうハイブリッド機構を備える。第２実施形態と同様に、同一の構成については同一参照符号を用い、その説明を割愛する。
【００３９】
第３実施形態において、車両はハイブリッド車であるため、内燃機関１０の出力軸３０は、第１モータ／ジェネレータ（ＭＧ１）３１、動力分配装置３２、第２モータ／ジェネレータ（ＭＧ２）３３、減速ギヤ３４、ディファレンシャルギヤ３５を介して車輪３６（１輪のみ図示）に接続される。これにより内燃機関１０の動力は車輪３６へと伝達される。
【００４０】
第１モータ／ジェネレータ（ＭＧ１）３１は、内燃機関１０のスタータ・モータとして機能するとともに、ジェネレータとして機能し、インバータ／コントローラ３７を介してバッテリ１８に接続される。一方、第２モータ／ジェネレータ（ＭＧ２）３３は、車両駆動力（トルク）に対してトルクアシストを行なうもので、第１モータ／ジェネレータ（ＭＧ１）３１と同様にインバータ／コントローラ３７を介してバッテリ１８に接続される。
【００４１】
インバータ／コントローラ３７は、電子制御装置（ＥＣＵ）１９により制御され、運転状態に合わせて、第１および第２モータ／ジェネレータ（ＭＧ１、ＭＧ２）３１、３３を、モータあるいはジェネレータとして駆動する。なお、第２モータ／ジェネレータ（ＭＧ２）３３によりトルクアシストが行われる際、内燃機関１０と第２モータ／ジェネレータ（ＭＧ２）３３との間におけるトルクの分配、合成は、動力分配装置３２によって行なわれる。
【００４２】
第３実施形態では、車両の運行を停止するために車両が減速され、所定の速度以下となると内燃機関１０がアイドル状態とされるとともに、例えば第２モータ／ジェネレータ（ＭＧ２）３３の動力のみによって車両が駆動され、内燃機関１０のクランクシャフトの回転は維持される。車両停止後には、例えば第１または第２モータ／ジェネレータ３１、３３により、内燃機関１０のクランクシャフトをターボ過給機１４のターボ回転数が異音を発生しない所定値よりも低くなるまでアイドル回転させる。すなわち電子制御ユニット（ＥＣＵ）１９は、インバータ／コントローラ１７により検出されるターボ回転数が所定値よりも低くなるまで第１または第２モータ／ジェネレータ３１、３３による、内燃機関１０アイドル回転を維持し、第１オイルポンプ１１の駆動を維持する。
【００４３】
以上により、第３実施形態においても第２実施形態と同様の効果を得ることができる。また、第３実施形態では、内燃機関のイグニッションを実際に停止した後、ハイブリッド用のモータ／ジェネレータを用いて、より容易にターボ回転数が所定値よりも低くなるまでクランクシャフトの回転を維持し、第１オイルポンプによるターボ過給機への潤滑油の供給を維持することができる。
【００４４】
なお、第１〜第３実施形態においては、特にその効果が顕著である電動機付きターボ過給機を例に説明を行ったため、ターボ回転数を直接検出して潤滑油供給システムの駆動を制御したが、本発明は電動機によるアシスト機能を持たないターボ過給機にも適用できる。ターボ回転数を検出するセンサを備えていないシステムでは、例えば、イグニッションをオフした後（内燃機関停止後）、あるいはイグニッションをオフする指示を受けた後（内燃機関停止指示後）、エンジン回転数に対応してターボ回転数が所定値よりも低くなるまでの時間を予め求めておき、ターボ回転数が所定値よりも低くなる時間が経過した時点で潤滑油供給システムの駆動を停止する構成とすることも可能である。なおこのような構成は、第１〜第３実施形態のように電動機付きターボ過給機にも適用することができる。
【図面の簡単な説明】
【００４５】
【図１】本発明の第１実施形態におけるターボ過給機のための潤滑油供給システムの構成を示すブロック図である。
【図２】本実施形態に用いられる電動機付きターボ過給機の断面図である。
【図３】図２に示された電動機付きターボ過給機の軸受け部近傍における部分拡大断面図である。
【図４】第１実施形態における潤滑油供給システム制御処理のフローチャートである。
【図５】第２実施形態における潤滑油供給システムの構成を示すブロック図である。
【図６】第３実施形態における潤滑油供給システムの構成を示すブロック図である。
【符号の説明】
【００４６】
１０  内燃機関
１０Ｃ  オイルパン
１１  第１オイルポンプ
１４  ターボ過給機
１４Ａ  コンプレッサ
１４Ｂ  タービン
１４Ｃ  電動機
１７  インバータ／コントローラ
１８  バッテリ
１９  電子制御ユニット（ＥＣＵ）
２０  チェックバルブ
２２  油圧センサ
２３  第２オイルポンプ
１４０  ターボ回転軸
１４１、１４２  軸受け
【図１】
2008223626.tif 000003
【図２】
2008223626.tif 000004
【図３】
2008223626.tif 000005
【図４】
2008223626.tif 000006
【図５】
2008223626.tif 000007
【図６】
2008223626.tif 000008